(57)【要約】【課題】簡易な構成により安定的に情報の記録又は再生を行い得るようにする。【解決手段】光情報記録媒体１２０は、有機金属化合物が配合され予め光硬化された記録層１２１に対して、光情報記録再生装置２０により記録光ビームＬ２２ｃが目標位置に集光され高温化されることにより、当該目標位置の近傍に空洞を形成して屈折率の差異により反射率が高い記録マークＲＭを形成し、また当該記録マークＲＭにおいて反射した充分な光量でなる戻り光ビームＬ２３を検出させることにより、当該記録マークＲＭの有無により表される情報を安定的に読み出させることができる。【選択図】図１２
2008176902.tif 000002
【特許請求の範囲】
【請求項１】
光重合性、光架橋性又はその両方の性質を有する樹脂からなり、所定の初期化光が照射され上記樹脂が硬化された後、情報の記録時に、所定の記録光が集光され当該記録光の焦点近傍における温度が上昇することにより記録マークとしての空洞を形成し、上記情報の再生時に所定の読出光の照射に応じた戻り光を基に当該情報を再生させる記録層
を具えることを特徴とする光情報記録媒体。
【請求項２】
上記記録層は、
上記樹脂内に有機金属化合物、無機金属化合物又はその両方を含有する
ことを特徴とする請求項１に記載の光情報記録媒体。
【請求項３】
上記記録層は、
上記情報の記録時に上記記録光が集光された際、上記有機金属化合物、上記無機金属化合物若しくはその両方を介して光化学反応又は光化学反応及び熱化学反応の両方を生じることにより上記空洞を形成する
ことを特徴とする請求項２に記載の光情報記録媒体。
【請求項４】
上記記録層は、
上記初期化光により上記有機金属化合物、上記無機金属化合物若しくはその両方が変質して金属化合物が生成され、上記情報の記録時に上記記録光が集光された際、上記金属化合物を介して光化学反応又は光化学反応及び熱化学反応の両方を生じることにより上記空洞を形成する
ことを特徴とする請求項２に記載の光情報記録媒体。
【請求項５】
上記記録層は、
上記記録光の集光位置が３次元方向に変化され上記情報が記録されることにより、複数の上記空洞が３次元方向に並ぶよう形成される
ことを特徴とする請求項１に記載の光情報記録媒体。
【発明の詳細な説明】
【技術分野】
【０００１】
本発明は光情報記録媒体に関し、例えば光ビームを用いて情報が記録され、また当該光ビームを用いて当該情報が再生される光情報記録媒体に適用して好適なものである。
【背景技術】
【０００２】
従来、光情報記録媒体としては、円盤状の光ディスクが広く普及しており、一般にＣＤ（Compact Disc）、ＤＶＤ（Digital Versatile Disc）及びＢｌｕ−ｒａｙ  Ｄｉｓｃ（登録商標、以下ＢＤと呼ぶ）等が用いられている。
【０００３】
一方、かかる光ディスクに対応した光ディスク装置では、音楽コンテンツや映像コンテンツ等の各種コンテンツ、或いはコンピュータ用の各種データ等のような種々の情報を当該光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００４】
そこで、光ディスクを大容量化する手法の一つとして、２系統の光ビームを干渉させて記録媒体内に微小なホログラムを形成することにより、情報を記録するようになされたものが提案されている（例えば、特許文献１参照）。
【特許文献１】特開２００６−７８８３４公報（第１図）
【発明の開示】
【発明が解決しようとする課題】
【０００５】
しかしながら、かかる光ディスクを用いる光ディスク装置は、回転され振動する光ディスクの情報を記録したい箇所に２種類の光ビームの焦点位置を同時に合わせるといった高度な制御が必要となり、その構成が複雑になってしまうため安定した情報の記録又は再生が困難であるという問題があった。
【０００６】
本発明は以上の点を考慮してなされたもので、簡易な構成により安定的に情報の記録又は再生を行い得る光情報記録媒体を提案しようとするものである。
【課題を解決するための手段】
【０００７】
かかる課題を解決するため本発明の光情報記録媒体においては、光重合性、光架橋性又はその両方の性質を有する樹脂からなり、所定の初期化光が照射され上記樹脂が硬化された後、情報の記録時に、所定の記録光が集光され当該記録光の焦点近傍における温度が上昇することにより記録マークとしての空洞を形成し、情報の再生時に所定の読出光の照射に応じた戻り光を基に当該情報を再生させる記録層を設けるようにした。
【０００８】
光情報記録媒体は、記録光が集光された際に空洞による記録マークを形成することにより、当該記録マークに読出光が照射された際に樹脂と空洞とにおける屈折率の差異により当該読出光を反射し、当該読出光が反射されたか否かを基に高品質な再生信号を得ることができる。
【発明の効果】
【０００９】
本発明によれば、記録光が集光された際に空洞による記録マークを形成することにより、当該記録マークに読出光が照射された際に樹脂と空洞とにおける屈折率の差異により当該読出光を反射し、当該読出光が反射されたか否かを基に高品質な再生信号を得ることができ、かくして簡易な構成により安定的に情報の記録又は再生を行い得る光情報記録媒体を実現できる。
【発明を実施するための最良の形態】
【００１０】
以下、図面について、本発明の一実施の形態を詳述する。
【００１１】
（１）第１の実施の形態
（１−１）光情報記録再生装置の構成
図１において第１の実施の形態による光情報記録再生装置１は、全体として光情報記録媒体１００に対して光を照射することにより情報を記録し、また当該情報を再生するようになされている。
【００１２】
光情報記録再生装置１は、ＣＰＵ（Central Processing Unit）構成でなる制御部２により全体を統括制御するようになされており、図示しないＲＯＭ（Read Only Memory）から基本プログラムや情報記録プログラム、情報再生プログラム等の各種プログラムを読み出し、これらを図示しないＲＡＭ（Random Access Memory）に展開することにより、情報記録処理や情報再生処理等の各種処理を実行するようになされている。
【００１３】
制御部２は、初期化光源３を制御することにより、当該初期化光源３から例えば波長５３２［ｎｍ］の初期化光Ｌ１を出射させ、当該初期化光Ｌ１をテーブル４上に固定された板状の光情報記録媒体１００に対して照射させるようになされている。
【００１４】
因みに初期化光源３としては、固体レーザや半導体レーザ等の高い光パワーを照射し得る光源が用いられるようになされている。
【００１５】
また初期化光源３は、図示しない駆動部を有しており、制御部２の制御により、ｘ方向（図中の右方向）及びｙ方向（図の手前方向）に自在に移動し、光情報記録媒体１００に対して適切な位置から初期化光Ｌ１を一様に照射し得るようになされている。
【００１６】
一方、制御部２は、光ピックアップ５を制御することにより、当該光ピックアップ５から光情報記録媒体１００に対して光を照射させ、また当該光情報記録媒体１００から戻ってきた光を受光するようになされている。
【００１７】
光ピックアップ５は、制御部２の制御に基づき、レーザダイオードでなる記録再生光源１０から例えば波長５３２［ｎｍ］の光ビームＬ２を出射させ、当該光ビームＬ２をコリメータレンズ１１により発散光から平行光に変換した上でビームスプリッタ１２に入射させるようになされている。
【００１８】
因みに記録再生光源１０は、制御部２の制御に従い、光ビームＬ２の光量を調整し得るようになされている。
【００１９】
ビームスプリッタ１２は、反射透過面１２Ｓにより光ビームＬ２の一部を透過させ、対物レンズ１３へ入射させる。対物レンズ１３は、光ビームＬ２を集光することにより、光情報記録媒体１００内に合焦させるようになされている。
【００２０】
また対物レンズ１３は、光情報記録媒体１００から戻り光ビームＬ３が戻ってきた場合、当該戻り光ビームＬ３を平行光に変換し、ビームスプリッタ１２へ入射させる。このときビームスプリッタ１２は、戻り光ビームＬ３の一部を反射透過面１２Ｓにより反射し、集光レンズ１４へ入射させる。
【００２１】
集光レンズ１４は、戻り光ビームＬ３を集光して受光素子１５の受光面に合焦させる。これに応じて受光素子１５は、戻り光ビームＬ３の光量を検出し、当該光量に応じた検出信号を生成して制御部２へ送出する。これにより制御部２は、検出信号を基に戻り光ビームＬ３の検出状態を認識し得るようになされている。
【００２２】
ところで光ピックアップ５は、図示しない駆動部が設けられており、制御部２の制御により、ｘ方向、ｙ方向及びｚ方向の３軸方向に自在に移動し得るようになされている。実際上、制御部２は、当該光ピックアップ５の位置を制御することにより、光ビームＬ２の焦点位置を所望の位置に合わせ得るようになされている。
【００２３】
このように光情報記録再生装置１は、光情報記録媒体１００に対して初期化光Ｌ１を照射し得ると共に、光情報記録媒体１００内の任意の箇所に対して光ビームＬ２を集光し、また当該光情報記録媒体１００から戻ってくる戻り光ビームＬ３を検出し得るようになされている。
【００２４】
（１−２）光情報記録媒体の構成
図２（Ａ）及び（Ｂ）に示すように、光情報記録媒体１００は、平板状に形成され情報を記録するための記録層１０１を平板状の基板１０２及び１０３により両面から挟んだような構成を有している。
【００２５】
記録層１０１は、光重合型フォトポリマでなり、その内部にモノマ及びオリゴマが均一に分散している。この記録層１０１は、光が照射されると、照射箇所においてモノマ及びオリゴマが重合する（すなわち光重合する）ことによりポリマ化し、これに伴い屈折率が変化するといった性質を有している。また記録層１０１は、光の照射によりポリマ同士の間に「橋架け」を行い分子量を増加させる、いわゆる光架橋が生じることにより、さらに屈折率が変化する場合もある。
【００２６】
因みに記録層１０１を構成する光重合型フォトポリマは、２種類の光を干渉させたときに生じる干渉縞をホログラムとして記録する、いわゆるホログラムメディアとして用いられることもある。この場合、光重合型フォトポリマには、干渉縞における光強度の大きい箇所における屈折率及び反射率を変化させることにより、当該干渉縞を情報として記録することができる。
【００２７】
実際上、記録層１０１の一部或いは大部分を構成する光重合型又は光架橋型或いはその両方の性質を有する樹脂（以下、これを光反応型樹脂と呼ぶ）は、例えばラジカル重合化合物と光重合開始剤より構成され、あるいはカチオン重合化合物とカチオン発生形光重合開始剤より構成されている。またこの光反応型樹脂及び光重合開始剤、このうち特に光重合開始剤は、その材料が適切に選定されることにより、光重合を生じやすい波長を所望の波長に調整することも可能である。
【００２８】
基板１０２及び１０３は、いずれもガラス板でなり、上述した光ビームＬ２及び戻り光ビームＬ３を充分に透過するようになされている。因みに基板１０２及び１０３は、ｘ方向の長さｄｘ及びｙ方向の長さｄｙがそれぞれ約３０〜８０［ｍｍ］程度の正方形又は長方形状となっており、ｚ方向の厚さｔ２及びｔ３が約１［ｍｍ］となっている。
【００２９】
また記録層１０１は、材料の性質上比較的柔らかく、基板１０２及び１０３に挟まれることにより、当該基板１０２及び１０３と同様にｘ方向の長さｄｘ及びｙ方向の長さｄｙがそれぞれ約３０〜８０［ｍｍ］程度、ｚ方向の厚さｔ１が約０．３〜１．０［ｍｍ］の薄い正方形板状又は長方形板状に形成されている。
【００３０】
このように光情報記録媒体１００は、光重合型フォトポリマでなる記録層１０１を透明な基板１０２及び１０３により挟んでおり、全体として薄い板状に構成されている。
【００３１】
（１−３）情報の記録及び再生
次に、光情報記録再生装置１による光情報記録媒体１００に対する情報の記録、及び当該光情報記録媒体１００からの情報の再生について説明する。
【００３２】
実際上、光情報記録再生装置１は、大きく分けて、光情報記録媒体１００の初期化（図３（Ａ））、当該光情報記録媒体１００に対する情報の記録（図３（Ｂ））、及び当該光情報記録媒体１００からの情報の再生（図３（Ｃ））といった３段階の処理を行い得るようになされている。
【００３３】
（１−３−１）光情報記録媒体の初期化
光情報記録再生装置１は、光情報記録媒体１００に情報を記録する前準備として、当該光情報記録媒体１００全体又はその一部を初期化するようになされている。この場合、光情報記録再生装置１は、図３（Ａ）に示したように、初期化光源３から初期化光Ｌ１を光情報記録媒体１００の片面側から照射することにより、記録層１０１の初期化（プリキュア）を行う。
【００３４】
このとき記録層１０１では、初期化光Ｌ１が照射された部分において光重合反応又は光架橋反応或いはその両方の反応（以下、これらをまとめて光反応と呼ぶ）が生じることにより、内部でモノマが重合しポリマ化するため、初期化光の照射前と比較して屈折率が変化する。
【００３５】
因みに記録層１０１は、初期化光Ｌ１が照射された部分においてほぼ均一に光反応が生じるため、屈折率が一様となる。すなわち光情報記録媒体１００は、例えば光を照射したときの戻り光の光量と符号「０」又は「１」とを対応付ける場合、この段階では光情報記録媒体１００のいずれの箇所においても一様の符号「０」（又は符号「１」）となるため、情報が一切記録されていないことになる。従って光情報記録再生装置１は、光情報記録媒体１００をプリフォーマットすることにもなる。
【００３６】
なお初期化光源３は、光情報記録媒体１００と同等の面積に渡って同時に初期化光Ｌ１を照射する以外にも、例えば比較的小さい面積に対して初期化光Ｌ１を照射する小型の初期化光源を用いて光情報記録媒体１００の一部のみを初期化し、或いは当該小型の初期化光源を当該光情報記録媒体１００に対して適宜移動させることにより、記録層１０１の全体を初期化する等しても良い。
【００３７】
因みに光情報記録再生装置１においては、初期化光Ｌ１をレンズ等により集光して記録層１０１に照射することも考えられるが、均一な初期化を図るべく、初期化光Ｌ１を平行光のまま当該記録層１０１に照射することが望ましい。また初期化光源３としては、高圧水銀灯（例えば主波長成分３６５［ｎｍ］）、高圧メタハラ灯、固体レーザや半導体レーザ等の高い光パワーを照射し得る光源を用いることが可能である。
【００３８】
（１−３−２）情報の記録
光情報記録再生装置１は、光情報記録媒体１００に対して情報を記録する際、図３（Ｂ）に示したように、記録用の光ビームＬ２（以下、これを記録光ビームＬ２ｃと呼ぶ）を記録層１０１内に集光する。この場合、光情報記録再生装置１は、光ピックアップ５（図１）のｘ方向、ｙ方向及びｚ方向の位置を制御することにより、記録光ビームＬ２ｃ（図３（Ｂ））を記録層１０１内の目標とする位置（以下、これを目標位置と呼ぶ）に合焦させる。
【００３９】
このとき記録層１０１内の目標位置では、記録光ビームＬ２ｃが集光されることにより温度が局所的に上昇し、フォトポリマが変質する。
【００４０】
ここで、初期化により光重合が完了した光情報記録媒体１００内における温度変化のシミュレーションを行ったところ、図４に示すような温度分布特性が得られた。
【００４１】
このシミュレーションでは、フォトポリマの熱伝導率が０．２０［Ｗ／ｍＫ］、温度拡散率が７．４ｘ１０−８［ｍ２／ｓｅｃ］、波長５３２［ｎｍ］における吸収係数が２ｘ１０−４であるものとし、また対物レンズ１３のＮＡ（Numerical Aperture：開口数）を０．５、記録光ビームＬ２ｃの波長を５３２［ｎｍ］、光パワーを５００［ｍＷ］として、室温２５［℃］において当該記録光ビームＬ２ｃを１［μｓｅｃ］の間照射した場合における、目標位置を中心としたｚ方向に関する温度分布を算出した。
【００４２】
この図４から、光情報記録媒体１００内では、記録光ビームＬ２ｃが照射されることにより、目標位置を中心とした約４［μｍ］の局所的な範囲で、温度が約１８０［℃］を超える高温に達することがわかる。記録層１０１を構成するフォトポリマは、ガラス転移点が約１００［℃］〜１２０［℃］付近にあると想定されるため、当該目標位置近傍の温度は、当該ガラス転移点を確実に超えており、何らかの状態変化が生じていると考えられる。この場合、温度の上昇に加えて、記録光ビームＬ２ｃが光として照射されていることが起因している可能性も考えられる。
【００４３】
また、記録層１０１に有機金属化合物または無機金属化合物が含まれる場合、光情報記録媒体１００内では、集光時の熱により当該有機金属化合物または無機金属化合物により焦点近傍の温度を効率よく上昇させるとも想定される。または、記録層１０１内において、有機金属化合物若しくは無機金属化合物が変質して金属化合物を生成し、当該金属化合物が焦点近傍の温度を効率よく上昇させるとも想定される。
【００４４】
さらに、光情報記録媒体１００内において、記録層１０１を構成する材料が記録光ビームＬ２ｃによる光化学反応又は光化学反応及び熱化学反応の双方により変質し、空洞を生じたとも考えられる。このとき光情報記録媒体１００内では、有機金属化合物、無機金属化合物または生成された金属化合物により、当該光化学反応又は熱化学反応が促進されるとも想定される。
【００４５】
いずれの場合においても、光情報記録媒体１００内の目標位置付近に形成された空洞は、周囲の材料（すなわち記録層１０１を構成する材料）と屈折率が異なるため、その境界面における光の反射率が高められることとなる。
【００４６】
この結果、図３（Ｂ）に示したように、目標位置付近にフォトポリマが変質してなる記録マークＲＭが形成される。因みに、この記録マークＲＭは、目視では確認することが困難であった。
【００４７】
実際上、光情報記録再生装置１は、例えば２値化された情報が値「１」の時には記録マークＲＭを記録し、反対に当該情報が値「０」の時には記録マークＲＭを記録しないよう対応付けることにより、光情報記録媒体１００に対して情報の記録を行うことができる。
【００４８】
（１−３−３）情報の再生
光情報記録再生装置１は、光情報記録媒体１００から情報を読み出す際、図３（Ｃ）に示したように、読出用の光ビームＬ２（以下、これを読出光ビームＬ２ｄと呼ぶ）を記録層１０１内に集光する。この場合、光情報記録再生装置１は、情報を記録する場合と同様、光ピックアップ５（図１）のｘ方向、ｙ方向及びｚ方向の位置を制御することにより、読出光ビームＬ２ｄ（図３（Ｂ））を記録層１０１内の目標位置に合焦させる。
【００４９】
光情報記録再生装置１は、光情報記録媒体１００から戻り光ビームＬ３（以下、これを再生光とも呼ぶ）が戻ってきた場合、対物レンズ１３及びビームスプリッタ１２等を介して当該戻り光ビームＬ３を受光素子１５により検出する。
【００５０】
ここで受光素子１５は、光情報記録媒体１００の目標位置に記録マークＲＭが記録されていなかった場合、すなわち目標位置が初期化されたままの状態であった場合、図５（Ａ）に示すように、非常に微弱な戻り光ビームＬ３を検出した。因みに図５（Ａ）〜（Ｃ）では、戻り光ビームＬ３が強い部分を白く、弱い部分を黒く示している。
【００５１】
これに対して受光素子１５は、光情報記録媒体１００の目標位置に記録マークＲＭが記録されていた場合、図５（Ｂ）に示すように、非常に強い輝度の戻り光ビームＬ３を検出することができた。
【００５２】
因みに図５（Ｂ）は、光情報記録媒体１００を初期化する際、初期化光Ｌ１の波長を５３２［ｎｍ］、光パワー密度を２［ｍＷ／ｃｍ２］、初期化時間を３０［ｍｉｎ］とした上で、情報の記録及び再生に用いた光ビームＬ２の波長を同様に５３２［ｎｍ］、対物レンズ１３のＮＡを０．５として、記録光ビームＬ２ｃの光パワーを４５０［ｍＷ］、記録時間を１［ｓｅｃ］とし、読出光ビームＬ２ｄの光パワーを５０［μＷ］としたときの受光結果を表している。
【００５３】
因みに、受光素子１５により検出された記録マークＲＭからの戻り光ビームＬ３は、光情報記録媒体１００に一般的なμ（マイクロ）ホログラムが形成された場合に検出し得る再生光と比較して、強い輝度を有している。
【００５４】
このように光情報記録再生装置１は、光情報記録媒体１００を初期化した上で、目標位置に対する情報の記録操作を行うことにより、当該目標位置における反射率の向上という形で情報が記録され、また当該目標位置に対して情報の再生操作を行うことにより、記録された情報を再生し得ることが確認できた。
【００５５】
この場合、光情報記録媒体１００では、記録層１０１を構成するフォトポリマのうち記録光ビームＬ２ｃが集光されて局所的に温度上昇した部分（すなわち目標位置付近）が変質し、その屈折率が変化した結果、反射率が向上した（すなわち記録マークＲＭが形成された）ものと考えられる。
【００５６】
ここで、読出光ビームＬ２ｄが記録マークＲＭにより反射されてなる戻り光ビームＬ３の光強度の分布をｘ方向、ｙ方向及びｚ方向についてそれぞれ測定したところ、図６（Ａ）及び（Ｂ）に示すような結果が得られた。ここで特性曲線Ｓｘ、Ｓｙ及びＳｚは、目標位置を中心に読出光ビームＬ２ｄの焦点をそれぞれｘ方向、ｙ方向及びｚ方向に関して変位させたときに、受光素子１５により得られた信号強度（すなわち光強度）の分布を示している。
【００５７】
この場合、光情報記録再生装置１は、記録層１０１の厚さｔ１が０．３［ｍｍ］でなる光情報記録媒体１００に対して、図５（Ａ）の場合とレーザ光により初期化した後、当該記録層１０１と基板１０２との境界面からｚ方向に０．１［ｍｍ］となる位置を目標位置として、対物レンズ１３のＮＡを０．４とし、記録光ビームＬ２ｃの波長を５３２［ｎｍ］、光パワー９０［ｍＷ］、記録時間３［ｓｅｃ］として記録マークＲＭを記録した。また光情報記録再生装置１は、読出光ビームＬ２ｄの波長を５３２［ｎｍ］、光パワーを７［μＷ］とした。
【００５８】
図６（Ａ）及び（Ｂ）の分布特性から、記録マークＲＭは、全体的に楕円体に近似した形状に形成されており、ｘｙ平面における直径が約１［μｍ］、ｚ方向に関する高さが約１０［μｍ］程度となっていることがわかる。
【００５９】
実際上、光情報記録再生装置１は、戻り光ビームＬ３の信号強度を基に、例えば当該信号強度が高く目標位置に記録マークＲＭが記録されていることを検出した場合に当該目標位置に記録された情報が値「１」であると認識し、当該信号強度が低く当該目標位置に当該記録マークＲＭが記録されていないことを検出した場合に当該目標位置に記録された情報が値「０」であると認識することにより、光情報記録媒体１００に記録されている情報を読み出すことができる。
【００６０】
因みに、記録層１０１において光重合型フォトポリマが変質して反射率が変化する部分、すなわち記録マークＲＭを形成する部分は、記録光ビームＬ２ｃの焦点付近に局在することになる。従って光情報記録再生装置１は、対物レンズ１３による回折限界の性能が得られる場合、当該対物レンズ１３の開口数（ＮＡ）を大きくするほど、当該記録マークＲＭを小さく形成することができ、記録層１０１における記録密度を向上させることができる。
【００６１】
一方、実験的に、初期化光源３としてレーザに代えてＬＥＤ（Light Emitting Diode）を用いた場合、図５（Ｃ）に示すように、比較的弱い戻り光ビームＬ３を検出することができた。この図５（Ｃ）は、光情報記録媒体１００を初期化する際に初期化光源３として緑色のＬＥＤを使用し、光パワー密度を２［ｍＷ／ｃｍ２］、初期化時間を６０［ｍｉｎ］とした上で、記録光ビームＬ２ｃ及び読出光ビームＬ２ｄを図５（Ｂ）の場合と同様にしたときの受光結果を表している。
【００６２】
この場合、図５（Ｃ）からも明らかなように、戻り光ビームＬ３の強度が弱くＳＮＲ（Signal to Noise Ratio）が悪くなるという結果が得られた。
【００６３】
また、光情報記録再生装置１において、光情報記録媒体１００の初期化を行わず、情報を記録する際に記録光ビームＬ２ｃを目標位置に集光して照射することによりモノマを光重合させてポリマ化し、さらに当該記録光ビームＬ２ｃにより高温化し変質させて記録マークＲＭを形成する、といった手法も考えられるが、記録条件が時間的・空間的に変化するため、安定した情報の記録が困難となることが予想される。
【００６４】
このように第１の実施の形態による光情報記録媒体１００では、レーザ光を用いて初期化処理が行われた場合に、記録光ビームＬ２ｃが合焦された箇所における反射率の変化が最も顕著に現れることが確認された。
【００６５】
（１−３−４）多層記録の再生
次に、図５（Ｂ）に示した場合と同様の初期化処理を行った光情報記録媒体１００に対して、目標位置のｚ方向の位置を段階的に変化させることにより、記録マークＲＭが３次元方向に並ぶ多層記録（いわゆる体積型記録）を行い、このときの各記録マークＲＭからの戻り光ビームＬ３（すなわち再生光）を測定した。
【００６６】
具体的には、まず光情報記録再生装置１によって、光ピックアップ５のｘ方向、ｙ方向及びｚ方向における位置を変化させることにより記録層１０１内の目標位置を３次元方向に変化させながら、１０層に渡って記録マークＲＭを層状に記録した。この場合、各層（以下、それぞれをマーク記録層と呼ぶ）におけるｘｙ平面上の記録マークＲＭの間隔を５［μｍ］、マーク記録層同士の間隔を３０［μｍ］とした。
【００６７】
次に、光情報記録再生装置１によって、光情報記録媒体１００の各マーク記録層に読出光ビームＬ２ｄをそれぞれ合焦させるよう照射し、戻り光ビームＬ３を検出した。このときの１層目（基板１０２に最も近い側）、３層目、５層目、７層目及び９層目における戻り光ビームＬ３の検出結果を、図７（Ａ）、（Ｂ）、（Ｃ）、図８（Ａ）及び（Ｂ）にそれぞれ示す。
【００６８】
因みに図７（Ａ）〜（Ｃ）並びに図８（Ａ）及び（Ｂ）では、縦軸方向に信号強度を示し、横軸方向にｘ方向の位置を示しており、各マーク記録層において読出光ビームＬ２ｄの焦点位置をｘ方向に移動させたときの信号強度の測定結果をそれぞれ表している。
【００６９】
これらの図７（Ａ）〜（Ｃ）並びに図８（Ａ）及び（Ｂ）から明らかなように、光情報記録媒体１００における１層目から１０層目までのいずれのマーク記録層についても、記録マークＲＭが形成された箇所と当該信号マークＲＭが形成されていない箇所（初期化されただけの箇所）との信号強度の差が顕著に現れている。
【００７０】
すなわち光情報記録再生装置１は、多層記録により少なくとも１０層に渡ってマーク記録層を構成した場合において、各層に記録された記録マークＲＭを必要充分な信号強度の戻り光ビームＬ３として検出することにより良好な再生信号を得ることができ、各記録マークＲＭの有無、すなわち情報として値「０」又は値「１」のいずれが記録されているかを高い精度で読み出すことができる。
【００７１】
（１−４）動作及び効果
以上の構成において、第１の実施の形態による光情報記録再生装置１は、光重合型フォトポリマでなる記録層１０１を有する光情報記録媒体１００に対して、まず初期化光源３から初期化光Ｌ１を全体的に又は部分的に照射することにより予め初期化処理を行う。
【００７２】
次に光情報記録再生装置１は、光情報記録媒体１００における記録層１０１内の目標位置に対して比較的強い光強度でなる記録光ビームＬ２ｃを集光することにより記録マークＲＭを記録し、その後当該目標位置に対して比較的弱い光強度でなる読出光ビームＬ２ｄを集光し、当該記録マークＲＭにおいて反射された充分な光量でなる戻り光ビームＬ３を受光する。
【００７３】
従って光情報記録再生装置１は、初期化光Ｌ１を照射して光情報記録媒体１００の記録層１０１を予め初期化することにより、記録マークＲＭを確実に記録し得ると共に、当該記録マークＲＭを正しく読み出すことができる。
【００７４】
この場合、光情報記録再生装置１は、初期化処理として光重合型フォトポリマでなる記録層１０１に光反応、すなわち光重合反応又は光架橋反応或いはその両方の反応を生じさせることにより、記録マークＲＭの形成に適した状態とすることができ、いわば「情報記録の下地をつくる」ことができる。
【００７５】
また光情報記録再生装置１は、記録層１０１の目標位置に対して記録光ビームＬ２ｃを集光し、当該目標位置近傍を非常に高温化させることにより、又は当該高温化に加えて光を照射していることにより、光重合型フォトポリマを変質させることができ（図４）、この結果、光の反射率が高い記録マークＲＭを形成し、情報として記録することができる。
【００７６】
このため光情報記録再生装置１は、光情報記録媒体１００に対して読出光ビームＬ２ｄを照射した場合、記録マークＲＭからは、当該記録マークＲＭが形成されていない箇所、すなわち初期化されたままの箇所と比較して、極めて強い戻り光ビームＬ３を検出することができる。これを換言すれば、光情報記録再生装置１は、光情報記録媒体１００からＳＮＲが極めて高い再生信号を得ることができ、情報を精度良く安定的に再生することができる。
【００７７】
さらに光情報記録再生装置１は、光情報記録媒体１００に対してマーク記録層を多層に渡って構成した場合にも、各層から記録マークＲＭの有無を明確に認識し得るような十分なＳＮＲの再生信号を得ることができる（図７及び図８）。
【００７８】
この場合、光情報記録再生装置１は、記録光ビームＬ２ｃの焦点位置をｚ方向（図１）に段階的に変位させることにより、記録層１０１内に複数のマーク記録層を構成する、いわゆる体積型記録を行うことができる。従って、光情報記録媒体１００の記録層１０１については、マーク記録用の物理的な層を予め形成しておく必要がなく、ｚ方向（図２）に関しても光重合型フォトポリマが一様に存在していれば良いため、例えば金属製のスタンパから信号を転写した樹脂と反射膜とでなる記録層を物理的に積層させるような場合と比較して、容易に製造することができる。
【００７９】
ところで、一般に光重合型フォトポリマ内にホログラムを形成する光情報記録再生装置は、いわゆるポジ型μホログラムの記録を行う場合、特に初期化等の処理を行わず、情報を記録する箇所（すなわち目標位置）に対して局所的に光の干渉縞を形成することにより、当該干渉縞における光強度の強い部分のみで光反応を生じさせ、当該干渉縞をホログラムとして記録することになる。
【００８０】
このポジ型μホログラムの場合、光情報記録再生装置は、情報を再生する際、読出光を照射した際にホログラムから再生光が戻り、それ以外の箇所からは再生光が生じないことを基に、情報として値「０」又は値「１」のいずれが記録されているかを認識することができる。
【００８１】
また、いわゆるネガ型μホログラムの場合、光情報記録再生装置は、光重合型フォトポリマ内の情報記録領域全体に渡って光の干渉縞を形成し、当該干渉縞を記録することにより初期化を行った上で、情報を記録する箇所（すなわち目標位置）に対して局所的に光を集光することにより、当該目標位置における光重合型フォトポリマの温度を上昇させ、変質させることにより局所的にホログラムを破壊することになる。
【００８２】
このネガ型μホログラムの場合、光情報記録再生装置は、情報を再生する際、読出光を照射した際にホログラムから再生光が戻り、ホログラムを破壊した箇所からは再生光が殆ど戻らないことを基に、情報として値「０」又は値「１」のいずれが記録されているかを認識することができる。
【００８３】
これに対して光情報記録再生装置１は、ホログラムを用いる場合と比較して、光の干渉縞を正確に生成するための極めて高精度なサーボ制御が不要となり、構成を簡易化することができる。またホログラムを用いる場合には、情報の値「０」又は値「１」を正しく判別するために、光情報記録媒体における光に対する感度を高精度に調整する必要があるものの、本願発明の場合はこのような調整が不要となり、光情報記録媒体１００を比較的容易に製造することができる。
【００８４】
また本発明による情報の記録及び再生は、光情報記録媒体に対する初期化処理を行う点でポジ型μホログラムとは明確に異なり、高精度のサーボ制御が不要となり構成を簡易化できる点で当該ポジ型μホログラムよりも有利である。
【００８５】
さらにネガ型μホログラムと比較した場合、一様に光反応を生じさせる、いわゆるプリキュアを行う点と、記録光を照射し情報を記録した箇所から再生光が戻らないのではなく強い再生光が戻る点とで大きく異なっており、特に初期化処理の際に高度な制御等が要求されるホログラムを形成する必要がなく、また当該初期化の際と記録又は再生の際とで異なる波長の光を用いることができる点で、当該ネガ型μホログラムよりも有利である。
【００８６】
例えば、初期化光源３として記録光ビームＬ２ｃ及び読出光ビームＬ２ｄと同様の波長でなるレーザ光を出射する緑色レーザや青色レーザ等を用いる場合、一般に高出力化が困難であることから、広面積の初期化には長時間を要する可能性が高い。これに比べて本発明の光情報記録再生装置１では、記録層１０１が反応する波長の範囲において、高出力が可能なレーザを初期化光源３として用いることができるので、広面積の初期化を比較的短い時間で完了することができる。
【００８７】
ところで、２光子吸収を利用した体積記録を行う手法も提案されているが、安定した記録を行い得る記録媒体が未だ開発途上であり、またフェムト秒レーザのような単パルスハイパワーレーザが必要となってしまい、光情報記録再生装置の構成が複雑化してしまうといった問題がある。
【００８８】
これに対して本願発明の光情報記録再生装置１は、半導体レーザ等を用いることにより複雑化することなく一般的な光ディスク装置に類似した構成とすることができ、また光情報記録媒体１００を用いて安定した記録マークＲＭの記録及び再生を実際に確認することができた。
【００８９】
また、いわゆるボリュームホログラムによる情報記録では、多重記録が進んだ場合にメディアノイズの発生を抑えることが難しく、また主に用いられているフォトポリマメディア（記録媒体）の扱いが難しいといった問題があり、さらに多画素からなる空間変調器やイメージセンサ等を用いる必要があるために光情報記録再生装置の構成が複雑になるという問題もあるが、本願発明による光情報記録再生装置１では、原理的にこれらの問題が生じることがない。
【００９０】
以上の構成によれば、第１の実施の形態による光情報記録再生装置１は、光重合型フォトポリマでなる記録層１０１を有する光情報記録媒体１００に対して予め初期化処理を行い、当該記録層１０１内の目標位置に対して比較的強い光強度でなる記録光ビームＬ２ｃを集光し高温化することにより記録マークＲＭを記録し、その後当該目標位置に対して比較的弱い光強度でなる読出光ビームＬ２ｄを集光し、当該記録マークＲＭにおいて反射された充分な光量でなる戻り光ビームＬ３を受光することにより、記録マークＲＭを確実に記録し得ると共に、当該記録マークＲＭを安定的に読み出すことができる。
【００９１】
（２）第２の実施の形態
（２−１）光情報記録再生装置の構成
図１との対応部分に同一符号を付した図９において、第２の実施の形態による光情報記録再生装置２０は、制御部２（図１）と対応する制御部２１により全体を統括制御するようになされている。
【００９２】
また光情報記録再生装置２０は、記録再生光源１０及び対物レンズ１３を有する光ピックアップ５に代えて、記録再生光源２２及び対物レンズ２３を有する光ピックアップ２５が設けられている点、及び初期化光源３が省略されている点が異なるものの、他は光情報記録再生装置１（図１）と同様に構成されている。
【００９３】
（２−２）光情報記録媒体の構成
一方、第２の実施の形態では、光情報記録媒体１００に代えて光情報記録媒体１２０を用いるようになされている。この光情報記録媒体１２０は、図１０（Ａ）〜（Ｃ）に示すように、基板１２２及び１２３の間にスペーサ１２４を挟み、当該スペーサ１２４内に設けられた内部空間１２４Ａに記録層１２１を形成することにより、全体としてフォトポリマメディアとして機能するようになされている。
【００９４】
基板１２２及び１２３は、第１の実施の形態における基板１０２及び１０３と同様にガラス基板でなり、光を高い割合で透過させるようになされている。また基板１２２及び１２３は、ｘ方向の長さｄｘ及びｙ方向の長さｄｙがそれぞれ約３０〜８０［ｍｍ］程度、厚さｔ２２及びｔ２３が約１．１［ｍｍ］でなる正方形板状又は長方形板状に構成されている。
【００９５】
またスペーサ１２４は、基板１２２及び１２３に合わせてｘ方向の長さｄｘ及びｙ方向の長さｄｙがそれぞれ約３０〜８０［ｍｍ］程度でなり、厚さｔ２１が約０．５［ｍｍ］のＰＥＴ（Polyethylene Terephthalate）樹脂でなる。またスペーサ１２４は、図１０（Ａ）に示したように、内部において長方形状の断面がｚ方向に貫通するような、すなわち直方体状にくりぬかれた内部空間１２４Ａを有している。
【００９６】
記録層１２１は、基板１２２及び１２３の間にスペーサ１２４が挟まれた状態で内部空間１２４Ａに後述する液状材料Ｍ１が展開され、図１１に示す初期化装置８０において、初期化光源８１から照射される初期化光Ｌ２１により初期化されるようになされている。因みに初期化光源８１としては、初期化光源３と同様、高圧水銀灯、高圧メタハラ灯、固体レーザや半導体レーザ等の高い光パワーを照射し得る光源を用いることが可能である。
【００９７】
記録層１２１には、有機、あるいは無機金属化合物含有の光反応型樹脂が均一に分散している。この記録層１２１は、初期化前の段階では、光が照射されると、照射箇所において光反応樹脂が重合または架橋、あるいは両方の反応が進む（すなわち光反応する）ことにより分子量が増加し、また硬化し、これに伴い屈折率が変化するといった性質（以下、これを光反応性と呼ぶ）を有している。
【００９８】
具体的に記録層１２１は、アクリル酸エステルモノマ（ｐ−クミルフェノールエチレンオキシド付加アクリル酸エステル）とウレタン２官能アクリレートオリゴマを４０：６０（重量比）、モノマ及びオリゴマに対する重量比２［％］の有機金属化合物であり光重合開始剤でもある（ビス（η−２，４−シクロペンタジエン−１−イル）−ビス（２，６−ジフルオロ−３−（１Ｈ−ピロール−１−イル）−フェニル）チタニウム（チバ・スペシャルティ・ケミカルズＩＲＧＡＣＵＲＥ（登録商標）−７８４、以下これをＩｒｇ−７８４と呼ぶ）が暗室化において混合脱泡され（以下、これを液状材料Ｍ１と呼ぶ）、スペーサ１２４の内部空間１２４Ａに展開されて基板１２２及び１２３の間に挟み込まれた上で、高圧水銀灯でなる初期化光源８１により初期化光Ｌ２１（波長３６５［ｎｍ］においてパワー密度３０ｍＷ／ｃｍ２）が６０［ｍｉｎ］照射されることにより光硬化されている。
【００９９】
この初期化処理において記録層１２１は、全体的に光反応が生じることにより、第１の実施の形態における初期化（プリキュア）処理と同様に、内部で樹脂が光反応し、内部空間１２４Ａの形状に基づく薄い正方形板状又は長方形板状に形成される。
【０１００】
この結果、記録層１２１は、初期化光の照射前と比較して、屈折率が全体的に変化することになる。因みに記録層１２１は、光硬化された状態においてほぼ透明となり、照射される光を高い割合で透過させるようになされている。
【０１０１】
このように光情報記録媒体１２０は、全体として薄板状に構成されると共に光をほぼ透過するように構成され、初期化処理により記録層１２１内部の樹脂が重合又は架橋或いはその両方をし、さらに当該記録層１２１内に少量の有機金属化合物が含まれるようになされている。
【０１０２】
（２−３）情報の記録及び再生
次に、第２の実施の形態における光情報記録媒体１２０に対する情報の記録、及び当該光情報記録媒体１２０からの情報の再生について説明する。
【０１０３】
光情報記録再生装置２０は、光情報記録媒体１２０に対して情報を記録する際、図１２（Ａ）に示すように、記録再生光源２２（図９）からの記録光ビームＬ２２ｃを記録層１２１内に集光する。この場合、光情報記録再生装置２０は、光ピックアップ２５（図９）のｘ方向、ｙ方向及びｚ方向の位置を制御することにより、記録光ビームＬ２２ｃ（図１２（Ａ））を記録層１２１内の目標とする位置（すなわち目標位置）に合焦させる。
【０１０４】
具体的に光情報記録再生装置２０は、記録層１２１の表面から深さ１００［μｍ］となる位置を目標位置とし、記録再生光源２２から波長４０２［ｎｍ］、光パワー２０［ｍＷ］のレーザ光でなる記録光ビームＬ２２ｃを射出し、これをＮＡ（Numerical Aperture）＝０．３５の対物レンズ２３により集光し、照射時間を１［ｓｅｃ］として目標位置に対して照射した。
【０１０５】
また光情報記録再生装置２０は、情報を再生する際、図１２（Ｂ）に示すように、記録再生光源２２から記録光ビームＬ２２ｃと同波長でなり光パワーが２００［μＷ］でなる読出光ビームＬ２２ｄを出射し、対物レンズ２３により記録層１２１内の記録マークＲＭに集光させる。
【０１０６】
このとき読出光ビームＬ２２ｄは、記録マークＲＭにより反射され、戻り光ビームＬ２３となる。光情報記録再生装置２０は、対物レンズ２３及びビームスプリッタ１２等を介して当該戻り光ビームＬ２３をＣＣＤ（Charge Coupled Device）でなる受光素子１５により検出する。
【０１０７】
受光素子１５は、図１３（Ａ）に示すように、第１の実施の形態（図５（Ａ））と同様に強い輝度でなる戻り光ビームＬ２３を検出することができた。
【０１０８】
これは、記録層１２１内の目標位置近傍では、記録光ビームＬ２２ｃが集光されることにより局所的に温度が上昇していたため、有機金属化合物が熱反応又は熱反応及び光反応の双方により空洞が生じているものと考えられる。
【０１０９】
すなわち記録層１２１では、有機金属化合物を含有する樹脂のうち、記録光ビームＬ２２ｃが集光されて局所的に高温化した部分に空洞ができ、記録層１２１の材料とこの空洞とにおける屈折率の差異により反射率が向上したものと推察される。
【０１１０】
ここで、記録層１２１に複数の記録マークＲＭを形成し、その断面を走査型顕微鏡により撮影したＳＥＭ（Scanning Electron Microscope）像を図１４に示す。この図１４から、記録マークＲＭは球ないし回転楕円体に近い形状の空洞でなることがわかる。
【０１１１】
さらに各記録マークＲＭの界面は、顕著な凹凸が無く滑らかであることから屈折率が急峻に変化することが予想され、これにより非常に高い反射率を有することも予想される。
【０１１２】
かくして記録層１２１内の目標位置近傍は、空洞でなる記録マークＲＭが形成され、情報が記録されたことになる。因みに、この記録マークＲＭは、目視では確認することが困難であった。
【０１１３】
一方、記録マークＲＭを記録しなかった箇所（すなわち未記録部分）からは、図１３（Ｂ）に示すように非常に微弱な戻り光ビームＬ２３を検出した。すなわち光情報記録再生装置２０は、第１の実施の形態と同様に、光情報記録媒体１２０から情報を再生する際、記録マークＲＭの有無に応じて戻り光ビームＬ２３の検出強度が大きく異なることがわかる。
【０１１４】
このことは、例えば光情報記録再生装置２０が符号「０」又は「１」を記録マークＲＭの有無と対応付けることにより光情報記録媒体１２０に情報を記録し得ると共に、その情報を再生した場合に、そのときの目標位置に記録マークＲＭが記録されているか否か、すなわち情報として符号「０」又は「１」のいずれが記録されているかを高い精度で判別し得ることを表している。
【０１１５】
このように光情報記録媒体１２０は、有機金属化合物が配合されると共に予め光硬化された記録層１２１に対し、光情報記録再生装置２０により記録光ビームＬ２２ｃが集光され高温化されることにより、空洞でなる記録マークＲＭを形成する情報記録を行わせることができる。また光情報記録媒体１２０は、光情報記録再生装置２０により当該記録マークＲＭに読出光ビームＬ２２ｄが照射されることにより、強い輝度でなる戻り光ビームＬ２３を検出させる情報再生を行わせることができる。
【０１１６】
（２−４）多層記録の再生
次に、光情報記録媒体１２０に対して、第１の実施の形態と同様に、目標位置のｚ方向の位置を段階的に変化させることにより、空洞でなる記録マークＲＭが３次元方向に並ぶ多層記録（すなわち体積型記録）を行い、このときの各記録マークＲＭからの戻り光ビームＬ３（すなわち再生光）を測定した。
【０１１７】
具体的には、まず光情報記録再生装置２０によって、光ピックアップ２５のｘ方向、ｙ方向及びｚ方向における位置を変化させることにより記録層１２１内の目標位置を３次元方向に変化させながら、１２層に渡って記録マークＲＭを層状に記録した。この場合、各マーク記録層におけるｘｙ平面上の記録マークＲＭの間隔を３［μｍ］、マーク記録層同士の間隔を２２．５［μｍ］とした。
【０１１８】
次に、光情報記録再生装置２０によって、光情報記録媒体１２０の各マーク記録層に読出光ビームＬ２２ｄをそれぞれ合焦させるよう照射し、戻り光ビームＬ２３を検出した。具体的には、光情報記録媒体１２０への情報の記録及び再生に用いた記録光ビームＬ２２ｃ及び読出光ビームＬ２２ｄの波長を４０５［ｎｍ］とし、記録光ビームＬ２２ｃの光パワーを１０［ｍＷ］、記録時間を２〜５［ｓｅｃ］とし、また読出光ビームＬ２２ｄの光パワーを１［ｍＷ］として、さらに対物レンズ２３のＮＡを０．３５とした。
【０１１９】
このときの２層目（基板１０２に近い側）、５層目、８層目及び１１層目における戻り光ビームＬ２３の検出結果を、図１５（Ａ）及び（Ｂ）並びに図１６（Ａ）及び（Ｂ）にそれぞれ示す。
【０１２０】
因みに図１５（Ａ）及び（Ｂ）並びに図１６（Ａ）及び（Ｂ）では、図７及び図８と同様、縦軸方向に信号強度を示し、横軸方向にｘ方向の位置を示しており、各マーク記録層において読出光ビームＬ２２ｄの焦点位置をｘ方向に移動させたときの信号強度の測定結果をそれぞれ表している。
【０１２１】
これらの図１５（Ａ）及び（Ｂ）並びに図１６（Ａ）及び（Ｂ）から明らかなように、光情報記録媒体１２０における１層目から１２層目までのいずれのマーク記録層についても、記録マークＲＭが形成された箇所と当該信号マークＲＭが形成されていない箇所（初期化されただけの箇所）との信号強度の差が顕著に現れている。
【０１２２】
すなわち光情報記録媒体１２０は、光情報記録再生装置２０により少なくとも１２層に渡ってマーク記録層が多層記録された場合において、各層に記録された記録マークＲＭを必要充分な信号強度の戻り光ビームＬ２３として検出させることにより良好な再生信号を生成させることができ、各記録マークＲＭの有無、すなわち情報として値「０」又は値「１」のいずれが記録されているかを高い精度で読み出させることができる。
【０１２３】
（２−５）動作及び効果
以上の構成において、第２の実施の形態による光情報記録再生装置２０は、光情報記録媒体１２０における有機金属化合物が配合され予め光硬化された記録層１２１に対して、記録再生光源２２から出射した記録光ビームＬ２２ｃを目標位置に集光し高温化することにより、当該目標位置の近傍に空洞を形成して反射率を高め、記録マークＲＭを形成する。
【０１２４】
また光情報記録再生装置２０は、記録層１２１内の記録マークＲＭに対して比較的弱い光強度でなる読出光ビームＬ２２ｄを集光し、記録マークＲＭにより反射された強い輝度でなる戻り光ビームＬ２３を受光する。
【０１２５】
従って光情報記録媒体１２０は、記録層１２１が予め光硬化されていることにより、光反応が予め完了された状態で記録マークＲＭの形成を行うことができる。
【０１２６】
また光情報記録媒体１２０は、記録層１２１を構成する樹脂に有機金属化合物が含まれていることにより、初期化されたままの箇所では光の反射率を低く抑えると共に、記録光ビームＬ２２ｃが集光され局所的に温度上昇して変質し、空洞を形成することにより、反射率が高い記録マークＲＭを形成することができる。
【０１２７】
このとき光情報記録媒体１２０は、記録層１２１における光反応が完了していることから、光反応の割合の変化やフォトンモードの生起等に起因する熱伝導率の変化を生じることが無く、目標位置の近傍における温度を確実に上昇させることができる。
【０１２８】
これにより光情報記録媒体１２０は、記録層１２１の目標位置近傍における温度を、当該記録層１２１を構成する樹脂の沸点以上とし得るため、空洞を生じさせて記録マークＲＭを確実に形成することができる。
【０１２９】
このため光情報記録媒体１２０は、情報再生時に光情報記録再生装置２０から読出光ビームＬ２２ｄが照射された場合、記録マークＲＭの形成箇所から、当該記録マークＲＭが形成されていない箇所と比較して極めて強い戻り光ビームＬ２３を検出させることができる。これを換言すれば、光情報記録媒体１２０は、第１の実施の形態における光情報記録媒体１００と同様、光情報記録再生装置２０によりＳＮＲが極めて高い再生信号を生成させることができ、情報を精度良く安定的に再生させることができる。
【０１３０】
さらに光情報記録媒体１２０は、少なくとも１２層に渡ってマーク記録層が多層記録された場合であっても、図１５（Ａ）及び（Ｂ）並びに図１６（Ａ）及び（Ｂ）に示したように、各層に記録された記録マークＲＭの有無を光情報記録再生装置２０に高い精度で読み出させることができる。
【０１３１】
また、２系統の光ビームを干渉させて記録媒体内に微小なホログラムを形成する、いわゆるポジ型μホログラム記録再生装置では、構成の複雑さ故、特に記録再生時の温度、湿度環境に大きな制限があり、既に普及しているＣＤメディア、ＤＶＤメディアやＢＤメディア等と同等な扱いが出来ないという制約があった。これに対して本発明による光情報記録媒体１２０では、かかる光ディスク装置よりも光情報記録再生装置２０の構成を格段に簡易化することができるので、記録再生時の制約を大幅に低減でき、また安定的に情報の記録又は再生を行うことができる。
【０１３２】
以上の構成によれば、第２の実施の形態による光情報記録媒体１２０は、有機金属化合物が配合され予め光硬化された記録層１２１に対して、光情報記録再生装置２０により記録光ビームＬ２２ｃが目標位置に集光され高温化されることにより、当該目標位置の近傍に空洞を形成して反射率を高めた記録マークＲＭを形成し、また当該記録マークＲＭにおいて反射した充分な光量でなる戻り光ビームＬ２３を検出させることにより、当該記録マークＲＭの有無により表される情報を安定的に読み出させることができる。
【０１３３】
（３）第３の実施の形態
（３−１）光情報記録再生装置の構成
図１との対応部分に同一符号を付した図１７において、第３の実施の形態による光情報記録再生装置３０は、制御部２（図１）と対応する制御部３１により全体を統括制御するようになされている。
【０１３４】
また光情報記録再生装置３０は、記録再生光源１０及び対物レンズ１３を有する光ピックアップ５に代えて、記録再生光源３２及び対物レンズ３３を有する光ピックアップ３５が設けられている点、及び初期化光源３が省略されている点が異なるものの、他は光情報記録再生装置１（図１）と同様に構成されている。
【０１３５】
（３−２）光情報記録媒体の構成
一方、第３の実施の形態では、光情報記録媒体１００に代えて光情報記録媒体１３０を用いるようになされている。この光情報記録媒体１３０は、図１８（Ａ）及び（Ｂ）に示すように、基板１３２上に記録層１３１が設けられ、全体としてフォトポリマメディアとして機能するようになされている。
【０１３６】
基板１３２は、第１の実施の形態における基板１０２及び１０３と同様にガラス基板でなり、光を高い割合で透過させるようになされている。また基板１３２は、ｘ方向の長さｄｘ及びｙ方向の長さｄｙがそれぞれ約３０〜８０［ｍｍ］程度、厚さｔ３２が約０．６［ｍｍ］でなる正方形板状又は長方形板状に構成されている。
【０１３７】
記録層１３１は、その製造段階において、基板１３２上に後述する液状材料Ｍ２が展開され、第２の実施の形態と同様の初期化装置８０（図１１）により、初期化光源８１から照射される初期化光Ｌ３１によって初期化されるようになされている。
【０１３８】
具体的に記録層１３１は、紫外線硬化樹脂（ソニーケミカル06A32X-5）に有機金属化合物として重量比１［％］の有機金属化合物であるＩｒｇ−７８４が暗室下で混合脱泡され（以下、これを液状材料Ｍ２と呼ぶ）、さらに基板１３２上に厚さｔ３１が約５００［μｍ］となるよう展開された後、高圧水銀灯でなる初期化光源８１により初期化光Ｌ３１（波長３６５［ｎｍ］においてパワー密度３００［ｍＷ／ｃｍ２］）が２０［ｓｅｃ］照射されることにより光硬化されている。
【０１３９】
この初期化処理において記録層１３１は、全体的に光反応が生じることにより、第１の実施の形態における初期化（プリキュア）処理と同様に、内部で樹脂が重合又は架橋或いはその両方をする。この結果、記録層１３１は、初期化光の照射前と比較して、屈折率が全体的に変化することになる。因みに記録層１３１は、光硬化された状態においてほぼ透明となり、照射される光を高い割合で透過させるようになされている。
【０１４０】
このように光情報記録媒体１３０は、第２の実施の形態における光情報記録媒体１２０と同様、全体として薄板状に構成されると共に光をほぼ透過するように構成され、初期化処理により記録層１３１内部の樹脂が光反応し、さらに当該記録層１３１内に少量の有機金属化合物が含まれるようになされている。
【０１４１】
（３−３）情報の記録及び再生
次に、第３の実施の形態における光情報記録媒体１３０に対する情報の記録、及び当該光情報記録媒体１３０からの情報の再生について説明する。
【０１４２】
光情報記録再生装置３０は、光情報記録媒体１３０に対して情報を記録する際、図１９Ａに示すように、記録再生光源３２（図１７）からの記録光ビームＬ３２ｃを記録層１３１内に集光する。この場合、光情報記録再生装置１は、光ピックアップ３５（図１７）のｘ方向、ｙ方向及びｚ方向の位置を制御することにより、記録光ビームＬ３２ｃ（図１９（Ａ））を記録層１３１内の目標とする位置（すなわち目標位置）に合焦させる。
【０１４３】
具体的に光情報記録再生装置３０は、記録層１３１の表面から深さ１００［μｍ］となる位置を目標位置とし、記録再生光源３２から波長４０２［ｎｍ］、光パワー２０［ｍＷ］のレーザ光でなる記録光ビームＬ３２ｃを射出し、これをＮＡ＝０．３５の対物レンズ３３により集光し、照射時間を１［ｓｅｃ］として目標位置に対して照射した。
【０１４４】
また光情報記録再生装置３０は、情報を再生する際、記録再生光源３２から記録光ビームＬ３２ｃと同波長でなり光パワーが３［ｍＷ］でなる読出光ビームＬ３２ｄを出射し、対物レンズ３３により記録層１３１内の記録マークＲＭに集光させた。
【０１４５】
このとき読出光ビームＬ３２ｄは、記録マークＲＭにより反射され、戻り光ビームＬ３３となる。光情報記録再生装置３０は、対物レンズ３３及びビームスプリッタ１２等を介して当該戻り光ビームＬ３３を受光素子１５により検出する。
【０１４６】
受光素子１５は、図２０（Ａ）に示すように、第１の実施の形態（図５（Ａ））及び第２の実施の形態（図１３（Ａ））と同様に、強い輝度でなる戻り光ビームＬ３３を検出することができた。
【０１４７】
これは、記録層１３１内の目標位置近傍において、記録層１２１と同様、記録光ビームＬ３２ｃが集光されることにより局所的に温度が上昇した部分に空洞ができ、記録層１３１の材料とこの空洞とにおける屈折率の差異により反射率が向上したものと推察される。
【０１４８】
かくして記録層１３１内の目標位置近傍は、第２の実施の形態と同様、空洞でなりその周囲と比較して反射率が局所的に高い記録マークＲＭが形成され、情報が記録されたことになる。因みに、この記録マークＲＭは、目視では確認することが困難であった。
【０１４９】
一方、記録マークＲＭを記録しなかった箇所（すなわち未記録部分）からは、図２０（Ｂ）に示すように非常に輝度が低い戻り光ビームＬ３３を検出した。すなわち光情報記録再生装置３０は、第１及び第２の実施の形態と同様に、光情報記録媒体１３０から情報を再生する際、記録マークＲＭの有無に応じて戻り光ビームＬ３３の検出強度が大きく異なることがわかる。
【０１５０】
このように光情報記録再生装置３０は、光情報記録媒体１３０を用い、有機金属化合物が配合されると共に予め光硬化された記録層１３１に対して記録光ビームＬ３２ｃを集光し高温化することにより、目標位置の近傍に空洞を形成させて記録マークＲＭを形成する情報記録を行うことができる。また光情報記録再生装置３０は、当該記録マークＲＭに読出光ビームＬ３２ｄを照射することにより、強い輝度でなる戻り光ビームＬ３３を検出する情報再生を行うことができる。
【０１５１】
（３−４）他の光情報記録媒体との比較
次に、光情報記録媒体１３０との比較用に、光情報記録再生装置３０において、光情報記録媒体１４０を用いて情報の記録及び再生を行った。この光情報記録媒体１４０は、基板１３２上に記録層１４１が設けられ、全体としてフォトポリマとして機能するようになされている。
【０１５２】
記録層１４１は、紫外線硬化樹脂（ソニーケミカル06A32X-5）が暗室下で混合脱泡され（以下、これを液状材料Ｍ３と呼ぶ）、さらに基板１３２上に厚さｔ３１が約５００［μｍ］となるよう展開された後、高圧水銀灯でなる初期化光源８１により初期化光Ｌ３１（波長３６５［ｎｍ］においてパワー密度３００［ｍＷ／ｃｍ２］）が２０［ｓｅｃ］照射されることにより光硬化されている。
【０１５３】
この記録層１４１は、紫外線硬化樹脂の中に紫外線の波長に感知する光重合開始剤が含まれており、上記条件にて速やかに光硬化した。尚、記録層１４１に含まれる光重合開始剤には、有機金属化合物あるいは無機金属化合物は含有されていない。
【０１５４】
次に、光情報記録再生装置３０により、かかる光情報記録媒体１４０を用いて、上述した光情報記録媒体１３０の場合と同様の情報の記録及び再生を行った。
【０１５５】
すなわち光情報記録再生装置３０は、記録層１４１の表面から深さ１００［μｍ］となる位置を目標位置とし、記録再生光源３２から波長４０２［ｎｍ］、光パワー２０［ｍＷ］のレーザ光でなる記録光ビームＬ３２ｃを射出し、これをＮＡ＝０．３５の対物レンズ３３により集光し、照射時間を１［ｓｅｃ］として目標位置に対して照射した。
【０１５６】
また光情報記録再生装置３０は、情報を再生する際、記録再生光源３２から記録光ビームＬ３２ｃと同波長でなり光パワーが３［ｍＷ］でなる読出光ビームＬ３２ｄを出射し、対物レンズ３３により記録層１４１内の目標位置に集光させた。
【０１５７】
しかしながら、この場合、受光素子１５による受光結果を図２１（Ａ）に示すように、目標位置からは微弱な戻り光ビームＬ３３を得ることとなった。また、目標位置以外の箇所、すなわち記録光ビームＬ３２ｃを集光した箇所以外の箇所からも、図２１（Ｂ）に示すように、微弱な戻り光ビームＬ３３を得ることとなった。
【０１５８】
かかる受光結果より、光情報記録媒体１４０には、有効な記録マークＲＭが形成されていないことが判明した。
【０１５９】
すなわち、光情報記録媒体１３０及び１４０を比較すると、記録マークＲＭの形成は、有機金属化合物又は無機金属化合物が含まれる樹脂が記録光ビームＬ３２ｃの熱により変質したことに起因していると考えられる。
【０１６０】
このため、記録層１４１に有機金属化合物又は無機金属化合物が含まれない光情報記録媒体１４０は、光情報記録再生装置３０に対する情報の記録媒体としては有効に機能し得ないといえる。
【０１６１】
（３−５）動作及び効果
以上の構成において、第３の実施の形態による光情報記録再生装置３０は、光情報記録媒体１３０における有機金属化合物が配合され予め光硬化された記録層１３１に対して、記録再生光源３２から出射した記録光ビームＬ３２ｃを目標位置に集光し高温化することにより、当該目標位置の近傍に空洞を形成して反射率を高め、記録マークＲＭを形成する。
【０１６２】
また光情報記録再生装置３０は、光情報記録媒体１３０の記録層１３１における目標位置に対して比較的弱い光強度でなる読出光ビームＬ３２ｄを集光し、当該記録マークＲＭにより反射された強い輝度でなる戻り光ビームＬ３３を受光する。
【０１６３】
従って光情報記録媒体１３０は、第２の実施の形態における光情報記録媒体１２０と同様、記録層１３１が予め光硬化されていることにより、光反応が予め完了された状態で記録マークＲＭの形成を行うことができる。
【０１６４】
また光情報記録媒体１３０は、光情報記録媒体１２０と同様、記録層１３１を構成する樹脂に有機金属化合物が含まれていることにより、初期化されたままの箇所では光の反射率を低く抑えると共に、記録光ビームＬ３２ｃが集光され局所的に温度上昇して変質し、空洞を形成することにより、反射率が高い記録マークＲＭを形成することができる。
【０１６５】
このとき光情報記録媒体１２０は、記録層１２１における光反応が完了していることから、光反応の割合の変化やフォトンモードの生起等に起因する熱伝導率の変化を生じることが無く、目標位置の近傍における温度を確実に上昇させることができる。
【０１６６】
これにより光情報記録媒体１３０は、記録層１３１の目標位置近傍における温度を、当該記録層１２１を構成する樹脂の沸点以上とし得るため、空洞を生じさせて記録マークＲＭを確実に形成することができる。
【０１６７】
このため光情報記録媒体１２０は、情報再生時に光情報記録再生装置２０から読出光ビームＬ２２ｄが照射された場合、記録マークＲＭの形成箇所から、当該記録マークＲＭが形成されていない箇所と比較して極めて強い戻り光ビームＬ２３を検出させることができる。これを換言すれば、光情報記録媒体１２０は、第１の実施の形態における光情報記録媒体１００と同様、光情報記録再生装置２０によりＳＮＲが極めて高い再生信号を生成させることができ、情報を精度良く安定的に再生させることができる。
【０１６８】
また比較用の光情報記録媒体１４０を用いた場合、有機金属化合物或いは無機金属化合物が含まれない記録層１４１に有効な記録マークＲＭが形成されなかったことから、有機金属化合物又は無機金属化合物に対し記録光ビームＬ３２ｃを集光することによる温度上昇又は熱破壊が記録マークＲＭの形成に確実に起因していることも判明した。
【０１６９】
以上の構成によれば、第３の実施の形態による光情報記録媒体１３０は、有機金属化合物が配合され予め光硬化された記録層１３１に対して、光情報記録再生装置３０により記録光ビームＬ３２ｃが目標位置に集光され高温化されることにより、当該目標位置の近傍に空洞を形成して反射率を高めた記録マークＲＭを形成し、また当該記録マークＲＭにおいて反射した充分な光量でなる戻り光ビームＬ３３を検出させることにより、当該記録マークＲＭの有無により表される情報を安定的に読み出させることができる。
【０１７０】
（４）第４の実施の形態
（４−１）光情報記録再生装置の構成
第４の実施の形態では、第２の実施の形態と同様に光情報記録再生装置２０を用いるため、その説明は省略する。
【０１７１】
（４−２）光情報記録媒体の構成
一方、第４の実施の形態では、光情報記録媒体１２０に代えて光情報記録媒体１５０を用いるようになされている。この光情報記録媒体１５０は、基板１２２及び１２３の間にスペーサ１２４を挟み、当該スペーサ１２４内に設けられた内部空間１２４Ａに記録層１５１を形成することにより、全体としてフォトポリマメディアとして機能するようになされている。
【０１７２】
記録層１５１は、その製造段階において、基板１２２及び１２３の間にスペーサ１２４が挟まれた状態で内部空間１２４Ａに後述する液状材料Ｍ４が展開され、図１１に示した初期化装置８０において、初期化光源８１から照射される初期化光Ｌ５１により初期化されるようになされている。
【０１７３】
この記録層１５１は、第２の実施の形態における記録層１２１と同様、有機、あるいは無機金属化合物含有の光反応型樹脂が均一に分散している。この記録層１５１は、初期化前の段階では、光が照射されると、照射箇所において光反応樹脂が光反応することにより分子量が増加し、また硬化し、これに伴い屈折率が変化するといった性質を有している。
【０１７４】
具体的に記録層１５１は、無機金属化合物としてアクリル酸エステルモノマ（ｐ−クミルフェノールエチレンオキシド付加アクリル酸エステル）とウレタン２官能アクリレートオリゴマを４０：６０（重量比）、モノマ及びオリゴマに対する重量比１［％］の１−ヒドロキシ−１−シクロヘキシルフェニルケトン（Ｉｒｇ−１８４）と同重量比１［％］の粒径２０［ｎｍ］以下のＴｉＯ２／Ｈ２ＰｔＣｌ６（モル比１０：１）を暗室下混合脱泡され、（以下、これを液状材料Ｍ４と呼ぶ）、スペーサ１２４の内部空間１２４Ａに展開されて基板１２２及び１２３の間に挟み込まれた上で、高圧水銀灯でなる初期化光源８１により初期化光Ｌ５１（波長３６５［ｎｍ］においてパワー密度３００ｍＷ／ｃｍ２）が２０［ｓｅｃ］照射されることにより光硬化されている。
【０１７５】
この初期化処理において記録層１５１は、全体的に光反応が生じることにより、第１の実施の形態における初期化（プリキュア）処理と同様に、内部で樹脂が重合又は架橋或いはその両方をする。この結果、記録層１５１は、初期化光の照射前と比較して、屈折率が全体的に変化することになる。因みに記録層１５１は、光硬化された状態においてほぼ透明となり、照射される光を高い割合で透過させるようになされている。
【０１７６】
このように光情報記録媒体１５０は、第２の実施の形態における光情報記録媒体１２０と一部類似した構成を有しており、全体として薄板状に構成されると共に光をほぼ透過するように構成され、初期化処理により記録層１５１内部の樹脂が光反応し、さらに当該記録層１５１内に少量の無機金属化合物が含まれるようになされている。
【０１７７】
（４−３）情報の記録及び再生
次に、第４の実施の形態における光情報記録媒体１５０に対する情報の記録、及び当該光情報記録媒体１５０からの情報の再生について説明する。
【０１７８】
因みに光情報記録媒体１５０は、第２の実施の形態における光情報記録媒体１２０と同様、その製造時に光硬化されることにより、第１の実施の形態における初期化処理が既に施されていることになるため、当該初期化処理が改めて行われる必要はない。
【０１７９】
光情報記録再生装置２０は、光情報記録媒体１５０に対して情報を記録する際、図１２（Ａ）に示したように、記録再生光源２２（図９）からの記録光ビームＬ５２ｃを記録層１５１内に集光する。この場合、光情報記録再生装置１は、光ピックアップ２５（図９）のｘ方向、ｙ方向及びｚ方向の位置を制御することにより、記録光ビームＬ５２ｃ（図１２（Ａ））を記録層１５１内の目標とする位置（すなわち目標位置）に合焦させる。
【０１８０】
具体的に光情報記録再生装置２０は、記録層１５１の表面から深さ１００［μｍ］となる位置を目標位置とし、記録再生光源２２から波長４０２［ｎｍ］、光パワー２０［ｍＷ］のレーザ光でなる記録光ビームＬ５２ｃを射出し、これをＮＡ＝０．３５の対物レンズ２３により集光し、照射時間を２［ｓｅｃ］として目標位置に対して照射した。
【０１８１】
また光情報記録再生装置２０は、情報を再生する際、記録再生光源２２から記録光ビームＬ５２ｃと同波長でなり光パワーが６００［μＷ］でなる読出光ビームＬ５２ｄを出射し、対物レンズ２３により記録層１５１内の記録マークＲＭに集光させた。
【０１８２】
このとき読出光ビームＬ５２ｄは、記録マークＲＭにより反射され、戻り光ビームＬ５３となる。光情報記録再生装置２０は、対物レンズ２３及びビームスプリッタ１２等を介して当該戻り光ビームＬ５３を受光素子１５により検出する。
【０１８３】
受光素子１５は、図２２（Ａ）に示すように、第１の実施の形態（図５（Ａ））や第２の実施の形態（図１３（Ａ））と同様に、強い輝度でなる戻り光ビームＬ５３を検出することができた。
【０１８４】
一方、記録マークＲＭを記録しなかった箇所（すなわち未記録部分）からは、図２２（Ｂ）に示すように非常に輝度が低い戻り光ビームＬ３３を検出した。すなわち光情報記録再生装置２０は、第１〜第３の実施の形態と同様に、光情報記録媒体１５０から情報を再生する際、記録マークＲＭの有無に応じて戻り光ビームＬ５３の検出強度が大きく異なることがわかる。
【０１８５】
このように光情報記録再生装置２０は、光情報記録媒体１５０を用い、無機金属化合物が配合されると共に予め光硬化された記録層１５１に対して記録光ビームＬ３２ｃを集光し高温化することにより、第１〜第３の実施の形態と同様に、目標位置の近傍に空洞を形成させて記録マークＲＭを形成する情報記録を行うことができる。また光情報記録再生装置２０は、光情報記録媒体１５０の記録マークＲＭに読出光ビームＬ５２ｄを照射することにより、強い輝度でなる戻り光ビームＬ５３を検出する情報再生を行うことができる。
【０１８６】
（４−４）動作及び効果
以上の構成において、第４の実施の形態による光情報記録再生装置２０は、光情報記録媒体１５０における無機金属化合物が配合され予め光硬化された記録層１５１に対して、記録再生光源２２から出射した記録光ビームＬ５２ｃを目標位置に集光し高温化することにより、当該目標位置の近傍に空洞を形成させて反射率を高め、記録マークＲＭを形成する。
【０１８７】
また光情報記録再生装置２０は、記録層１５１内の記録マークＲＭに対して比較的弱い光強度でなる読出光ビームＬ５２ｄを集光し、記録マークＲＭにより反射された強い輝度でなる戻り光ビームＬ５３を受光する。
【０１８８】
従って光情報記録媒体１５０は、光情報記録媒体１２０と同様に、記録層１５１が予め光硬化されていることにより、光反応が予め完了された状態で記録マークＲＭの形成を行うことができ、記録光ビームＬ５２ｃが当該記録層１５１の目標位置に集光された際、無機金属化合物を確実に熱破壊されるため、空洞を形成させて光の反射率を局所的に高めること、すなわち記録マークＲＭを形成することができる。
【０１８９】
このため光情報記録媒体１５０は、光情報記録再生装置２０により読出光ビームＬ２２ｄが照射された場合、記録マークＲＭの形成箇所から、当該記録マークＲＭが形成されていない箇所と比較して極めて強い戻り光ビームＬ５３を検出させることができる。これを換言すれば、光情報記録媒体１５０は、第１〜第３の実施の形態と同様、光情報記録再生装置２０によりＳＮＲが極めて高い再生信号を生成させることができ、情報を精度良く安定的に再生させることができる。
【０１９０】
以上の構成によれば、第４の実施の形態による光情報記録媒体１５０は、第２及び第３の実施の形態と同様、無機金属化合物が配合され予め光硬化された記録層１５１に対して、光情報記録再生装置２０により記録光ビームＬ５２ｃが目標位置に集光され高温化されることにより、当該目標位置の近傍に空洞を形成して反射率を高めた記録マークＲＭを形成し、また当該記録マークＲＭにおいて反射した充分な光量でなる戻り光ビームＬ５３を検出させることにより、当該記録マークＲＭの有無により表される情報を安定的に読み出させることができる。
【０１９１】
（５）他の実施の形態
なお上述した実施の形態においては、光情報記録媒体１２０、１３０及び１５０の記録層１２１、１３１及び１５１を有機金属、無機金属あるいはその両方を含むラジカル重合化合物と光重合開始剤を含む光重合型樹脂により構成する場合について述べたが、本発明はこれに限らず、当該記録層１２１、１３１及び１５１を他の化合物により構成するようにしても良い。
【０１９２】
因みに、記録層１２１、１３１及び１５１を構成する光重合型樹脂の構成材料としては、一般的には光重合可能な化合物が考えられるが、これ以外にもバインダポリマやオリゴマ、光重合を行うための開始剤、さらには必要に応じて増感色素を加える等しても良い。
【０１９３】
光重合可能な化合物の例としては、主にアクリル酸、アクリル酸エステル、アクリル酸アミドの誘導体やスチレンやビニルナフタレンの誘導体等、ラジカル重合反応に用いられるモノマがある。また、ウレタン構造物にアクリルモノマを持つ化合物についても適用することができる。
【０１９４】
また上述したモノマとして、水素原子の代わりにハロゲン原子に置き換わった誘導体を用いるようにしても良い。
【０１９５】
一方、必要に応じて添加されるバインダ成分としては、エチレングリコール、グリセリンとその誘導体や多価のアルコール類、フタル酸エステルとその誘導体やナフタレンジカルボン酸エステルとその誘導体、リン酸エステルとその誘導体、脂肪酸ジエステルとその誘導体のような、可塑剤として用いることが可能な化合物が挙げられる。
【０１９６】
また、開始剤系における光重合開始剤としては、上述した実施の形態において示した（ビス（η−２，４−シクロペンタジエン−１−イル）−ビス（２，６−ジフルオロ−３−（１Ｈ−ピロール−１−イル）−フェニル）チタニウム（チバ・スペシャリティ・ケミカルズＩｒｇ−７８４）以外に、２，２−ジメトキシ−１，２−ジフェニルエタン−１−オンや２−ベンジル−２−ジメチルアミノ−１−（４−モルフォリノフェニル）−ブタノン−１，１−ヒドロキシシクロヘキシルフェニルケトンなどのラジカル重合に用いる有機化合物などが挙げられる。なお、このとき用いられる光重合開始剤としては、情報の記録後に、後処理により適宜分解される化合物が望ましい。
【０１９７】
さらに増感色素としては、シアニン系、クマリン系、キノリン系色素などが挙げられる。
【０１９８】
さらに上述した第１の実施の形態においては、初期化処理（図３（Ａ））において平行光でなる初期化光Ｌ１を光情報記録媒体１００に照射するようにした場合について述べたが、本発明はこれに限らず、例えば拡散光や収束光でなる初期化光Ｌ１を光情報記録媒体１００に照射するようにしても良い。第２〜第４の実施の形態における初期化光源８１についても同様である。
【０１９９】
さらに上述した第１の実施の形態においては、光情報記録媒体１００の初期化処理を行うための初期化光Ｌ１、当該光情報記録媒体１００に情報を記録するための記録光ビームＬ２ｃ、及び当該光情報記録媒体１００から情報を再生するための読出光ビームＬ２ｄをいずれも波長５３２［ｎｍ］に統一するようにした場合について述べたが、本発明はこれに限らず、例えば記録光ビームＬ２ｃ及び読出光ビームＬ２ｄの波長を統一する一方で初期化光Ｌ１の波長を両者と異なるようにし、或いは初期化光Ｌ１、記録光ビームＬ２ｃ及び読出光ビームＬ２ｄの波長を互いに異なるようにしても良い。
【０２００】
この場合、初期化光Ｌ１としては、記録層１０１を構成する光重合フォトポリマにおける光化学反応の感度に適した波長であり、記録光ビームＬ２ｃとしては、物質の熱伝導により温度を上昇させるような波長又は吸収されやすいような波長であり、読出光ビームＬ２ｄとしては、最も高い解像度が得られるような波長であることが望ましい。このとき、記録光ビームＬ２ｃ及び読出光ビームＬ２ｄの波長等に応じて対物レンズ１３（図１）のＮＡ等についても適宜調整すれば良く、さらには情報の記録時と再生時とで記録光ビームＬ２ｃ及び読出光ビームＬ２ｄにそれぞれ最適化された２つの対物レンズを切り換えて用いるようにしても良い。
【０２０１】
また、記録層１０１を構成する光重合フォトポリマに関しては、初期化光Ｌ１、記録光ビームＬ２ｃ及び読出光ビームＬ２ｄのそれぞれの波長との組み合わせにおいて最も良好な特性が得られるよう、その成分等を適宜調整すれば良い。
【０２０２】
さらに第２〜第４の実施の形態においては、記録再生光源２２及び３２から出射される記録光ビームＬ２２ｃ、Ｌ３２ｃ及びＬ５２ｃ並びに読出光ビームＬ２２ｄ、Ｌ３２ｄ及びＬ５２ｄの波長を４０２［ｎｍ］とする以外にも、他の波長とするようにしても良く、要は記録層１２１、１３１及び１５１内における目標位置の近傍の温度を効率良く上昇することにより空洞を適切に形成できれば良い。
【０２０３】
さらに上述した第１の実施の形態においては、光情報記録媒体１００の基板１０２側の面から初期化光Ｌ１、記録光ビームＬ２ｃ及び読出光ビームＬ２ｄをそれぞれ照射するようにした場合について述べたが、本発明はこれに限らず、例えば初期化光Ｌ１を基板１０３側の面から照射するようにする等、各光又は光ビームをそれぞれどちらの面から照射するようにしても良い。第２〜第４の実施の形態についても同様である。
【０２０４】
さらに上述した第１の実施の形態においては、記録層１０１の厚さｔ１（図２）を約０．３［ｍｍ］としたときに、マーク記録層内における記録マークＲＭ同士の間隔を３［μｍ］とし、マーク記録層同士の間隔を約１５［μｍ］として１７層重ねるようにした場合について述べたが、本発明はこれに限らず、例えば記録層１０１の厚さｔ１を約１．０［ｍｍ］とし、マーク記録層内における記録マークＲＭ同士の間隔を５［μｍ］とし、マーク記録層同士の間隔を約２０［μｍ］として５０層重ねる等、記録層１０１の厚さｔ１、当該記録層１０１内に形成される記録マークＲＭの大きさや光重合型フォトポリマの各種光学特性、或いは対物レンズ１３の光学的特性等に応じて、それぞれの値を適宜調整するようにしても良い。
【０２０５】
さらに上述した第２〜第４の実施の形態においては、記録層１２１、１３１及び１５１内に記録マークＲＭを１つ形成するようにした場合について述べたが、本発明はこれに限らず、第１の実施の形態と同様、目標位置をｘｙ平面内で適宜変化させることにより記録マークＲＭが平面状に配列されたマーク記録層を形成し、さらに当該目標位置のｚ方向の位置（すなわち表面からの深さ）を段階的に変更することにより当該記録マークＲＭを多層に形成するようにしても良い。この場合、記録層１２１、１３１及び１５１の厚さｔ２１及びｔ３１については、形成する層数等に合わせて適宜調整すればよい。
【０２０６】
さらに上述した第１の実施の形態においては、光情報記録媒体１００をテーブル４に固定し、光ピックアップ５をｘ方向、ｙ方向及びｚ方向に変位させることにより、記録層１０１内における任意の位置を目標位置として記録マークＲＭを形成し得るようにした場合について述べたが、本発明はこれに限らず、例えば光情報記録媒体１００をＣＤ（Compact Disc）やＤＶＤ（Digital Versatile Disc）等のような光ディスクとして構成し、当該光ディスクを回転駆動すると共に光ピックアップ５をｘ方向及びｚ方向に変位させて情報の記録及び再生を行うようにしても良い。この場合、例えば基板１０２と記録層１０１との境界面などに溝状やピットによるトラックを形成してトラッキング制御やフォーカス制御等を行えば良い。第２〜第４の実施の形態についても同様である。
【０２０７】
さらに上述した実施の形態においては、光情報記録媒体１００の記録層１０１を一辺約３０〜８０［ｍｍ］、厚さｔ１を約０．３〜１．０［ｍｍ］の正方形板状又は長方形板状に形成するようにした場合について述べたが、本発明はこれに限らず、他の任意の寸法とするようにし、或いは様々な寸法でなる直方体状や円盤状等、種々の形状としても良い。この場合、ｚ方向の厚さｔ１に関しては、記録光ビームＬ２ｃ及び読出光ビームＬ２ｄの透過率等を考慮した上で定めることが望ましい。第２〜第４の実施の形態についても同様である。
【０２０８】
これに応じて基板１０２及び１０３の形状については、正方形板状又は長方形板状に限らず、記録層１０１に合わせた種々の形状であれば良い。また当該基板１０２及び１０３の材料については、ガラスに限らず、例えばポリカーボネイト等でも良く、要は初期化光Ｌ１、記録光ビームＬ２ｃ及び読出光ビームＬ２ｄ並びに戻り光ビームＬ３を高い透過率で透過させれば良い。さらには、記録層１０１単体で所望の強度が得られる場合等に、光情報記録媒体１００から当該基板１０２及び１０３を省略しても良い。第２〜第４の実施の形態についても同様である。
【０２０９】
さらに上述した実施の形態においては、記録層としての記録層１２１、１３１又は１５１によって光情報記録媒体としての光情報記録媒体１２０、１３０又は１５０を構成する場合について述べたが、本発明はこれに限らず、その他種々の構成でなる記録層によって光情報記録媒体を構成するようにしても良い。
【産業上の利用可能性】
【０２１０】
本発明は、例えば映像コンテンツや音声コンテンツ等のような大容量の情報を光ディスク等の記録媒体に記録し又は再生する光ディスク装置等でも利用できる。
【図面の簡単な説明】
【０２１１】
【図１】第１の実施の形態による光情報記録再生装置の構成を示す略線図である。
【図２】第１の実施の形態による光情報記録媒体の構成を示す略線図である。
【図３】第１の実施の形態による光情報記録媒体の初期化、情報の記録及び再生の説明に供する略線図である。
【図４】記録光の集光時における光情報記録媒体内の温度分布を示す略線図である。
【図５】第１の実施の形態による戻り光の受光の様子を示す略線図である。
【図６】戻り光の信号強度分布を示す略線図である。
【図７】各層における戻り光の信号強度分布（１）を示す略線図である。
【図８】各層における戻り光の信号強度分布（２）を示す略線図である。
【図９】第２の実施の形態による光情報記録再生装置の構成を示す略線図である。
【図１０】第２の実施の形態による光情報記録媒体の構成を示す略線図である。
【図１１】初期化装置の構成を示す略線図である。
【図１２】第２の実施の形態による情報の記録及び再生の説明に供する略線図である。
【図１３】第２の実施の形態による戻り光の受光の様子を示す略線図である。
【図１４】記録マークの断面ＳＥＭ像を示す写真である。
【図１５】第２の実施の形態による各層における戻り光の信号強度分布（１）を示す略線図である。
【図１６】第２の実施の形態による各層における戻り光の信号強度分布（２）を示す略線図である。
【図１７】第３の実施の形態による光情報記録再生装置の構成を示す略線図である。
【図１８】第３の実施の形態による光情報記録媒体の構成を示す略線図である。
【図１９】第３の実施の形態による情報の記録及び再生の説明に供する略線図である。
【図２０】第３の実施の形態による戻り光の受光の様子を示す略線図である。
【図２１】比較用の光情報記録媒体からの戻り光の受光の様子を示す略線図である。
【図２２】第４の実施の形態による戻り光の受光の様子を示す略線図である。
【符号の説明】
【０２１２】
１、２０、３０……光情報記録再生装置、２、２１、３１……制御部、３、８１……初期化光源、５……光ピックアップ、１０、２２、３２……記録再生光源、１３、２３、３３……対物レンズ、１５……受光素子、１００、１２０、１３０、１４０、１５０……光情報記録媒体、１０１、１２１、１３１、１４１、１５１……記録層、１０２、１０３、１２２、１２３、１３２……基板、１２４……スペーサ、Ｌ１、Ｌ２１、Ｌ３１、Ｌ５１……初期化光、Ｌ２ｃ、Ｌ２２ｃ、Ｌ３２ｃ、Ｌ５２ｃ……記録光ビーム、Ｌ２ｄ、Ｌ２２ｄ、Ｌ３２ｄ、Ｌ５２ｄ……読出光ビーム、Ｌ３、Ｌ２３、Ｌ３３、Ｌ５３……戻り光ビーム、ＲＭ……記録マーク。
【図１】
2008176902.tif 000003
【図２】
2008176902.tif 000004
【図３】
2008176902.tif 000005
【図４】
2008176902.tif 000006
【図６】
2008176902.tif 000007
【図７】
2008176902.tif 000008
【図８】
2008176902.tif 000009
【図９】
2008176902.tif 000010
【図１０】
2008176902.tif 000011
【図１１】
2008176902.tif 000012
【図１２】
2008176902.tif 000013
【図１５】
2008176902.tif 000014
【図１６】
2008176902.tif 000015
【図１７】
2008176902.tif 000016
【図１８】
2008176902.tif 000017
【図１９】
2008176902.tif 000018
【図５】
2008176902.tif 000019
【図１３】
2008176902.tif 000020
【図１４】
2008176902.tif 000021
【図２０】
2008176902.tif 000022
【図２１】
2008176902.tif 000023
【図２２】
2008176902.tif 000024